【手続補正書】
【提出日】平成20年2月28日(2008.2.28)
【手続補正１】
【補正対象書類名】明細書
【補正対象項目名】特許請求の範囲
【補正方法】変更
【補正の内容】
【特許請求の範囲】
【請求項１】  スクロールコンプレッサであって、
電力供給を受ける電気モータと、
前記電気モータにより駆動されて回転するシャフトであって、前記シャフトが、旋回する旋回スクロール、前記旋回スクロールと嵌合する非旋回スクロール、前記旋回スクロールを強制的に旋回させる回転防止カップリング、および前記旋回スクロールを支持するクランクケースを駆動するために動作可能であり、前記旋回スクロールおよび非旋回スクロールが各々、ベースから延在する概して螺旋状のラップを含み、前記ラップが互いに嵌合して圧縮チャンバを画成しているシャフトと、
前記電気モータおよび前記旋回スクロールおよび非旋回スクロールの動作状況を検知して前記電気モータの動作を選択的に停止するために電気的に連結され、前記旋回スクロール、前記非旋回スクロール、前記回転防止カップリング、および前記クランクケースのうちの１つの上に取り付けられているモータプロテクタ回路と、
を含むスクロールコンプレッサ。
【請求項２】  前記モータプロテクタ回路が前記非旋回スクロールのベースに取り付けられた請求項１に記載のスクロールコンプレッサ。
【請求項３】  前記モータプロテクタ回路が前記非旋回スクロールの前記ベース内の凹部に配置された請求項１に記載のスクロールコンプレッサ。
【請求項４】  前記モータプロテクタ回路が、排気圧チャンバからシールされたチャンバ内に配置された請求項３に記載のスクロールコンプレッサ。
【請求項５】  前記排気圧チャンバと前記非旋回スクロールの間にセパレータプレートが配置された請求項４に記載のスクロールコンプレッサ。
【請求項６】  排気圧チャンバを前記モータプロテクタ回路からシールするために前記非旋回スクロールの前記ベースにシールキャップが配置された請求項４に記載のスクロールコンプレッサ。
【請求項７】  前記モータプロテクタ回路から前記モータへ、前記非旋回スクロールの前記ベースを通る通路を通って電線が延伸する請求項６に記載のスクロールコンプレッサ。
【請求項８】  前記キャップと前記モータプロテクタ回路の間に独立したプラスチックカバーが着座している請求項６に記載のスクロールコンプレッサ。
【請求項９】  前記独立したプラスチックカバーが、前記モータプロテクタ回路を固定する脚部を含む請求項８に記載のスクロールコンプレッサ。
【請求項１０】  前記モータプロテクタ回路から前記モータに電線が延伸し、前記電線が前記非旋回スクロールの半径方向外面の外側に延伸する請求項１に記載のスクロールコンプレッサ。
【請求項１１】  前記モータプロテクタ回路を受け入れるための凹部が、半径方向内側の面、前記半径方向内側の面から延在する側壁、および半径方向外側の開口部を含み、前記電線が前記半径方向外側の開口部を通って延伸する請求項１０に記載のスクロールコンプレッサ。
【請求項１２】  スクロールコンプレッサであって、
電力供給を受ける電気モータと、
前記電気モータにより駆動されて回転する、コンプレッサポンプユニットを駆動するために動作可能なシャフトであって、前記コンプレッサポンプユニットが、前記シャフトにより駆動されて旋回する旋回スクロール、および非旋回スクロールを組み込んでおり、前記旋回スクロールおよび非旋回スクロールが各々、ベースから延在する概して螺旋状のラップを含み、前記ラップが互いに嵌合して圧縮チャンバを画成しているシャフトと、
前記非旋回スクロールの前記ベースを通って延在する排気ポートであって、排気チャンバと連通しており、前記圧縮チャンバ内で圧縮される冷媒が、前記排気ポートを通過して前記排気チャンバへ到達する排気ポートと、
前記電気モータおよび前記コンプレッサポンプユニットの動作状況を検知して前記電気モータの動作を選択的に停止するために電気的に連結され、前記非旋回スクロールのベースに取り付けられて前記非旋回スクロールの前記ベースの温度を検知するモータプロテクタ回路と、
を含むスクロールコンプレッサ。
【請求項１３】  前記モータプロテクタ回路が排気チャンバからシールされている請求項１２に記載のスクロールコンプレッサ。
【請求項１４】  スクロールコンプレッサであって、
電力供給を受ける電気モータと、
前記電気モータにより駆動されて回転するシャフトであって、前記シャフトが、前記シャフトにより駆動されて旋回する旋回スクロール、および非旋回スクロールを含むように画定されたコンプレッサポンプユニットを駆動するために動作可能であり、前記旋回スクロールおよび非旋回スクロールの各々が各々、ベースから延在する概して螺旋状のラップを含み、前記ラップが互いに嵌合して圧縮チャンバを画成しているシャフトと、
前記非旋回スクロールの前記ベースと、前記排気圧チャンバを吸気圧チャンバから分離するためのセパレータ要素とを通って延在する排気ポートと連通している排気圧チャンバであって、前記電気モータが前記吸気圧チャンバ内に受け入れられている排気圧チャンバと、前記電気モータおよび前記非旋回スクロールにおける状況を検知して前記電気モータの動作を選択的に停止するためのモータプロテクタ回路であって、前記非旋回スクロールのベース上に取り付けられ、前記排気圧チャンバからシールされているモータプロテクタ回路と、
を含むスクロールコンプレッサ。
【請求項１５】  前記モータプロテクタ回路が前記非旋回スクロールの前記ベースの外面の凹部内に配置された請求項１４に記載のスクロールコンプレッサ。
【請求項１６】  前記セパレータ要素が前記非旋回スクロールにより設けられた請求項１４に記載のスクロールコンプレッサ。
【請求項１７】  前記セパレータ要素が、前記排出チャンバと前記非旋回スクロールの前記ベースの間に配置されたプレートである請求項１４に記載のスクロールコンプレッサ。
【請求項１８】  スクロールコンプレッサであって、
電力供給を受ける電気モータと、
前記電気モータにより駆動されて回転するシャフトであって、前記シャフトが、旋回する旋回スクロール、前記旋回スクロールと嵌合する非旋回スクロール、前記旋回スクロールを強制的に旋回させる回転防止カップリング、および前記旋回スクロールを支持するクランクケースを駆動するために動作可能であり、前記旋回スクロールおよび非旋回スクロールが各々、ベースから延在する概して螺旋状のラップを含み、前記ラップが互いに嵌合して圧縮チャンバを画成しているシャフトと、
前記電気モータおよび前記コンプレッサポンプユニットの動作状況を検知して前記電気モータの動作を選択的に停止するために電気的に連結されたモータプロテクタ回路であって、軸方向長さが、前記旋回スクロール、前記非旋回スクロール、前記回転防止カップリングおよび前記クランクケースの軸方向位置により画定され、前記軸方向長さ内に取り付けられているモータプロテクタ回路と、
を含むスクロールコンプレッサ。
【請求項１９】  前記モータプロテクタユニットが前記非旋回スクロール上に取り付けられた請求項１８に記載のスクロールコンプレッサ。
【請求項２０】  前記モータプロテクタユニットが前記クランクケース上に取り付けられた請求項１８に記載のスクロールコンプレッサ。
【請求項２１】  前記モータプロテクタユニットが、前記コンプレッサポンプユニットを取り囲むハウジングの内面上に取り付けられた請求項１８に記載のスクロールコンプレッサ。
【請求項２２】  前記モータプロテクタ回路が、前記クランクケース内に取り付けられた請求項１に記載のスクロールコンプレッサ。